(57)【要約】【課題】  その後方開口端に複数本の突片部が設けられた略筒状の義肢ソケットに対して切断肢を安定して支持させるだけでなく、肌触りやクッション性や通気性や吸汗性にも優れた義肢ソケット用サポータを提供する。【解決手段】  義肢ソケット用サポータ１０を、切断肢３０における切断端周辺の外周面に対して切断肢の周方向に沿って宛がわれるサポート生地１１，１２によって形成し、義肢ソケット２１の突片部２１ａを挿し込むためのポケット１１ａを、サポート生地１１，１２における突片部１１ａと重なる位置に設けた。突片部２１ａをポケット１１ａに挿し込んで義肢ソケット２１に対してサポート生地１１，１２を固定した際には、突片部２１ａの隙間（空白部Ａ）がサポート生地１１，１２によって覆われる。【選択図】  図１
2015058013.tif 000002
【特許請求の範囲】
【請求項１】
切断肢の外周面に対して切断肢の長手方向に沿って宛がわれる複数の突片部がその後方開口端から後方へ突出して設けられた略筒状の義肢ソケットに対して切断肢を安定して支持させるための義肢ソケット用サポータであって、
切断肢における切断端周辺の外周面に対して切断肢の周方向に沿って宛がわれるサポート生地を備え、
前記突片部を挿し込むためのポケットがサポート生地における前記突片部と重なる位置に設けられ、
前記突片部を前記ポケットに挿し込むことにより義肢ソケットに対してサポート生地を固定した際に、前記複数の突片部のうち一の突片部と該一の突片部の隣に位置する他の突片部との間の領域がサポート生地によって覆われるようにしたことを特徴とする義肢ソケット用サポータ。
【請求項２】
前記ポケットの内面における前記突片部の外面と接触する箇所に突片部用の滑り止め手段が設けられた請求項１記載の義肢ソケット用サポータ。
【請求項３】
サポート生地の内面における切断肢の外周面と接触する箇所に切断肢用の滑り止め手段が設けられた請求項１又は２記載の義肢ソケット用サポータ。
【請求項４】
サポート生地が、本体部と、本体部の一端を他端と連結するためのベルト部とで構成され、ベルト部の長さを調節することにより寸法を調節することができるようにした請求項１〜３いずれか記載の義肢ソケット用サポータ。
【発明の詳細な説明】
【技術分野】
【０００１】
本発明は、義肢の義肢ソケットに対して切断肢を安定して支持させるための義肢ソケット用サポータに関する。
【背景技術】
【０００２】
義手や義足などの義肢には、切断肢の切断端部を固定するための部分（義肢ソケット）が設けられている。従来の義肢ソケットは、義肢の使用者の切断肢の切断端部を型取りして型を作製し、その型にシリコン樹脂などの合成樹脂を流し込んで製造するのが一般的であった。しかし、このようなオーダーメイドの義肢ソケットは、製造コストが嵩むだけでなく、製造期間が長くなるという欠点があった。また、義肢ソケットに固定された切断肢に拘束感を生ずるなど、その使用感も良好なものとは言えなかった。
【０００３】
このような実状に鑑みて、本発明者らは、図６に示す形態の義肢ソケット２１を開発した。この義肢ソケット２１は、その後方開口端から切断肢３０が挿入されて切断肢３０を固定する略筒状の義肢ソケット２１と、義肢ソケット２１の先端部に設けられた義肢先端部２２とで構成されている。義肢ソケット２１の後方開口端には、後方に突出する複数本の突片部２１ａが設けられている。また、義肢ソケット２１の周壁は、義肢ソケット２１の長手方向に沿って設けられたスリット２１ｂによって分断されている。義肢ソケット２１をこのような構造とすることで、義肢ソケット２１の形態を、それに挿入される切断肢３０の形態に応じて変化させることが可能となっている。したがって、義肢ソケット２１をレディメイドとしながらも、様々な人が好適に使用できる汎用性の高いものとすることが可能となった。
【０００４】
ところが、図６に示す形態の義肢ソケット２１に切断肢３０を直接挿入すると、義肢ソケット２１を形成する樹脂などの感触がそのまま切断肢３０に伝わってしまう。また、樹脂で形成された義肢ソケット２１は、クッション性や通気性や吸汗性などが良好とはいえず、使用者が不快に感じるおそれがある。さらに、義肢ソケット２１における２本の突片部２１ａの間の領域は、義肢ソケット２１の周壁が存在しない空白部Ａとなっているため、その空白部Ａから切断肢３０の切断端部がはみ出る（突き出る）おそれもある。これらの課題を解決するため、義肢ソケット２１の使用感を向上させるとともに、義肢ソケット２１に切断肢３０を安定して支持させるための工夫を施す必要がある。
【０００５】
ところで、これまでには、義肢ソケットと切断肢の間に介在させて義肢の使用感を向上させるための各種製品が提案されている（例えば、特許文献１の図１におけるライナ２、特許文献２の図１におけるシェル１１，１２、特許文献３の図１におけるインナ２０、特許文献４の図１におけるライナー２、又は特許文献５の図３における義肢用インナーバッグ１を参照。）。しかし、これらの製品はいずれも、本願の図６に示した形態の義肢ソケット２１（その後方開口端に複数本の突片部２１ａが設けられた略筒状の義肢ソケット２１）に対して好適に装着できるものとはなっておらず、上記の課題を解決できるものとはなっていない。
【先行技術文献】
【特許文献】
【０００６】
【特許文献１】特表２００８−５３９８３４号公報
【特許文献２】特表２０１０−５３４４９６号公報
【特許文献３】特開２０１０−０１２１１７号公報
【特許文献４】特開２０１１−０９８０３８号公報
【特許文献５】特開２０１１−１２０７４９号公報
【発明の概要】
【発明が解決しようとする課題】
【０００７】
本発明は、上記課題を解決するためになされたものであり、その後方開口端に複数本の突片部が設けられた略筒状の義肢ソケットに対して切断肢を安定して支持させることのできる義肢ソケット用サポータを提供するものである。また、肌触りやクッション性や通気性や吸汗性に優れた義肢ソケット用サポータを提供することも本発明の目的である。
【課題を解決するための手段】
【０００８】
上記課題は、
切断肢の外周面に対して切断肢の長手方向に沿って宛がわれる複数の突片部がその後方開口端から後方へ突出して設けられた略筒状の義肢ソケットに対して切断肢を安定して支持させるための義肢ソケット用サポータであって、
切断肢における切断端周辺の外周面に対して切断肢の周方向に沿って宛がわれるサポート生地を備え、
前記突片部を挿し込むためのポケットがサポート生地における前記突片部と重なる位置に設けられ、
前記突片部を前記ポケットに挿し込むことにより義肢ソケットに対してサポート生地を固定した際に、前記複数の突片部のうち一の突片部と該一の突片部の隣に位置する他の突片部との間の領域（空白部）がサポート生地によって覆われるようにしたことを特徴とする義肢ソケット用サポータ
を提供することによって解決される。
【０００９】
本発明の義肢ソケット用サポータは、その殆どの部分が生地（編物や織物や不織布など）によって形成されているため、肌触りに優れているだけでなく、クッション性や通気性や吸汗性に優れたものとなっている。また、本発明の義肢ソケット用サポータは、汗などで汚れた際には、洗濯機などで丸洗いすることも可能であるため、衛生的である。さらに、本発明の義肢ソケット用サポータを義肢ソケットに装着すると、義肢ソケットの突片部の隙間（空白部）がサポート生地によって覆われた状態となるため、切断肢の切断端部が前記空白部からはみ出ない（突き出ない）ようにすることも可能となっている。さらにまた、本発明の義肢ソケット用サポータは、その装着も容易である。
【００１０】
本発明の義肢ソケット用サポータにおいては、前記ポケットの内面における前記突片部の外面と接触する箇所に突片部用の滑り止め手段を設けると好ましい。これにより、ポケットに挿し込まれた突片部がポケットから抜け出ないようにすることが可能になる。したがって、義肢ソケットに対して義肢ソケット用サポータをさらにしっかりと固定することが可能になる。
【００１１】
また、本発明の義肢ソケット用サポータにおいては、サポート生地の内面における切断肢の外周面と接触する箇所に切断肢用の滑り止め手段を設けることも好ましい。これにより、切断肢が義肢ソケット用サポータから抜け出ないようにすることが可能になる。したがって、義肢ソケット用サポータに対して切断肢をさらにしっかりと固定することが可能になる。
【００１２】
さらにまた、本発明の義肢ソケット用サポータにおいては、サポート生地を、本体部と、本体部の一端を他端と連結するためのベルト部とで構成し、ベルト部の長さを調節することにより寸法を調節することができるようにすることも好ましい。これにより、義肢ソケット用サポータを、簡素な構造でありながら、その寸法調節が容易なものとすることができる。
【発明の効果】
【００１３】
以上のように、本発明によって、その後方開口端に複数本の突片部が設けられた略筒状の義肢ソケットに対して切断肢を安定して支持させることのできる義肢ソケット用サポータを提供することが可能になる。また、肌触りやクッション性や通気性や吸汗性に優れた義肢ソケット用サポータを提供することも可能になる。
【図面の簡単な説明】
【００１４】
【図１】本発明に係る義肢ソケット用サポータを義肢ソケットに装着して切断肢を固定した状態を示した図である。
【図２】本発明に係る義肢ソケット用サポータを義肢ソケットに装着する状態を示した図である。
【図３】本発明に係る義肢ソケット用サポータを筒状にした状態を示した図である。
【図４】本発明に係る義肢ソケット用サポータを展開した状態を表側から見た状態を示した図である。
【図５】本発明に係る義肢ソケット用サポータを展開した状態を裏側から見た状態を示した図である。
【図６】２つの突片部がその後方開口端から後方へ突出して設けられた略筒状の義肢ソケットに対して切断肢を挿入した状態を示した図である。
【発明を実施するための形態】
【００１５】
本発明の義肢ソケット用サポータの好適な実施態様について、図面を用いてより具体的に説明する。図１は、本発明に係る義肢ソケット用サポータ１０を義肢ソケット２１に装着して切断肢３０を固定した状態を示した図である。図２は、本発明に係る義肢ソケット用サポータ１０を義肢ソケット２１に装着する状態を示した図である。図３は、本発明に係る義肢ソケット用サポータ１０を筒状にした状態を示した図である。図４は、本発明に係る義肢ソケット用サポータ１０を展開した状態を表側から見た状態を示した図である。図５は、本発明に係る義肢ソケット用サポータ１０を展開した状態を裏側から見た状態を示した図である。本実施態様の義肢ソケット用サポータ１０は、図１に示す形態の義肢２０に装着して使用するものとなっている。
【００１６】
＊  義肢
まず、義肢ソケット用サポータ１０を装着する義肢２０について説明する。本実施態様において、義肢２０は、図１に示すように、その後方開口端から切断肢３０が挿入されて切断肢３０を固定する略筒状の義肢ソケット２１と、義肢ソケット２１の先端部に設けられた義肢先端部２２とで構成されている。義肢２０は、義手と義足のいずれであってもよいが、図１においては、義手とした場合について図示している。すなわち、図１における切断肢３０は、肘と手首の間で切断された腕となっている。また、義肢先端部２２は、複数本の指型のアクチュエータ２２ａを備えた駆動機構によって構成しており、物などを掴むことができるようにしている。これに対し、義肢２０を義足とする場合には、義肢先端部２２は、通常、足型の構造体や駆動体とされる。
【００１７】
義肢２０における義肢ソケット２１には、図２に示すように、その後方開口端から後方に突出して複数本の突片部２１ａが設けられている。突片部２１ａの本数は、特に限定されないが、通常、４本以下とされ、好ましくは、３本以下とされ、より好ましくは、２本とされる。本実施態様において、突片部２１ａの本数は、２本となっている。これらの突片部２１ａは、図１に示すように、切断肢３０の橈骨側の外周面及び尺骨側の外周面に対して切断肢３０の長手方向に沿って宛がわれる部分となっており、これらの突片部２１ａによって、切断肢３０を義肢ソケット２１の内部で安定して支持できるようになっている。
【００１８】
義肢ソケット２１における２本の突片部２１ａの間の領域は、図２に示すように、義肢ソケット２１の周壁が存在しない部分（空白部Ａ）となっている。本実施態様において、空白部Ａは、義肢ソケット２１における正面側（掌側）と背面側（甲側）の２箇所に設けている。また、義肢ソケット２１の周壁は、義肢ソケット２１の長手方向に沿って設けられたスリット２１ｂによって分断されている。このように、義肢ソケット２１の後方開口端に突片部２１を設ける（逆にいえば、義肢ソケット２１の後方開口端に凹んだ部分（空白部Ａ）を設ける）こと、及び、義肢ソケット２１の周壁にスリット２１ｂを設けることで、義肢ソケット２１の径を、それに挿入される切断肢３０の径などに応じて変化させることが可能となっている。したがって、義肢２０の使用者が、義肢２０を装着する切断肢３０に過大な拘束感を感じないようにすることが可能となっている。
【００１９】
義肢ソケット２１の素材は、必要な強度を発揮できるものであれば特に限定されないが、通常、樹脂が用いられる。
【００２０】
＊  義肢ソケット用サポータ
続いて、義肢ソケット用サポータ１０について説明する。本実施態様の義肢ソケット用サポータ１０は、図４，５に示すように、略矩形状を為す本体部１１と、本体部１１の一端に固定された帯状のベルト部１２とで構成されたサポート生地によって構成されている。
【００２１】
＊＊  本体部（サポート生地）
サポート生地における本体部１１は、図１に示すように、義肢ソケット用サポータ１０を義肢ソケット２１に装着した際に、義肢ソケット２１の内周面に沿って配される部分となっており、義肢ソケット２１が切断肢３０に直接接触しないようにするための部分となっている。これにより、義肢ソケット２１の内周面にクッション性や通気性や吸汗性を発現させ、義肢２０の使用感を向上させることができる。また、本体部１１は、義肢ソケット２１における２箇所に設けられた空白部Ａのうち、正面側（甲側）の空白部Ａを覆うための部分となっている。これにより、義肢ソケット２１の内部に収容された切断肢３０の先端部が、正面側の空白部Ａからはみ出る（突き出る）のを防止することができる。
【００２２】
本体部１１の表側（外面）には、複数のポケット１１ａが設けられている。このポケット１１ａは、図２に示すように、義肢ソケット用サポータ１０を義肢ソケット２１に対して装着する際に、義肢ソケット２１における突片部２１ａを挿し込むための部分となっている。突片部２１ａをポケット１１ａに挿し込むことにより、義肢ソケット２１に対して義肢ソケット用サポータ１０を正確に位置決めするだけでなく、義肢ソケット２１に対して装着された義肢ソケット用サポータ１０が義肢ソケット２１に対して回転しないようにすることや、義肢ソケット用サポータ１０が義肢ソケット２１から抜け落ちないようにすることが可能となっている。ポケット１１ａは、義肢ソケット用サポータ１０を義肢ソケット２１に装着した際に本体部１１（サポート生地）における突片部２１ａと重なる位置に設けられる。
【００２３】
サポート生地における本体部１１の具体的な形態は、特に限定されない。本実施態様の義肢ソケット用サポータ１０においては、図４，５に示すように、義肢ソケット用サポータ１０を展開した際に本体部１１が略矩形状を為すように形成している。本体部１１の後端縁（図４，５における上縁）と前端縁（図４，５における下縁）は、内側に凹むように湾曲して形成しており、切断肢３０に義肢ソケット用サポータ１０を巻いた際の拘束感を軽減することが可能となっている。また、ポケット１１ａの具体的な形態も、特に限定されないが、それに挿し込まれる突片部２１ａの形態に合わせると好ましい。本実施態様の義肢ソケット用サポータ１０において、それぞれのポケット１１ａは、略三角形状としている。
【００２４】
サポート生地における本体部１１の素材は、特に限定されないが、クッション性と通気性と吸汗性に優れた素材を選択すると好ましい。具体的には、合成繊維や天然繊維からなる編物、織物又は編物などが例示される。本体部１１は、上記素材からなる表地（本体部１１の外面を形成する生地）及び裏地（本体部１１の内面を形成する生地）で構成された複層構造としてもよい。この場合、表地と裏地の隙間に、発泡樹脂シートなど、クッション性を有するクッション材を入れると、本体部１１のクッション性をさらに高めることができる。
【００２５】
加えて、本体部１１の内面（義肢ソケット用サポータ１０で切断肢３０を支持した際に切断肢２０の外周面と接触する面）に、切断肢用の滑り止め手段を設けると好ましい。これにより、切断肢３０が義肢ソケット用サポータ１０から抜け出ないようにすることが可能になる。切断肢用の滑り止め手段としては、本体部１１の内面の摩擦係数を高める方法などが例示される。例えば、ウレタンシートやゴムシートなど、表面の摩擦係数が大きな滑り止め素材を本体部１１の内面に貼り付けることによって、本体部１１の内面の摩擦係数を高めることが、本体部１１の通気性や吸汗性が犠牲になるおそれがある。このため、本体部１１の内面に滑り止め素材を貼り付ける場合には、本体部１１の内面の全体に貼り付けるのではなく、部分的に貼り付けると好ましい。
【００２６】
本実施態様の義肢ソケット用サポータ１０においては、本体部１１の裏地（本体部１１の内面を形成する生地）として、裏スパンパワーネット（摩擦係数の大きな滑り止め用の糸（例えばポリウレタン糸）を用いて、本体部の内面に縫い目（畳の目のように配置された縫い目）が表れるように形成した生地。）を用いており、本体部１１の内面に表れた滑り止め用の糸の縫い目によって、本体部１１の内面に滑り止め機能を付与している。これにより、本体部１１の通気性や吸汗性を確保しながらも、本体部１１の内面の滑り止め効果を大幅に向上させることができる。
【００２７】
ポケット１１ａの素材（ポケット１１ａを形成する生地の素材）も、特に限定されない。ポケット１１ａの素材としては、合成繊維や天然繊維からなる編物、織物又は編物などが例示される。ポケット１１ａの内面（ポケット１１ａに挿し込まれた突片部２１ａの外面と接触する面）には、突片部用の滑り止め手段を設けると好ましい。これにより、ポケット１１ａに挿し込まれた突片部２１ａがポケット１１ａから抜け出ないようにすることが可能になる。切断肢用の滑り止め手段としては、ポケット１１ａの内面の摩擦係数を高める方法などが例示される。例えば、ウレタンシートやゴムシートなど、表面の摩擦係数が大きな滑り止め素材をポケット１１ａの内面に貼り付けることによって、ポケット１１ａの内面の摩擦係数を高めることができる。ポケット１１ａには、通気性や吸汗性は特に要求されない。このため、滑り止め素材は、ポケット１１ａの内面の略全体に貼り付けると好ましい。
【００２８】
＊＊  ベルト部（サポート生地）
サポート生地におけるベルト部１２は、図１に示すように、義肢ソケット用サポータ１０を義肢ソケット２１に装着した際に、本体部１１の一端を他端と連結するための部分となっている。これにより、本体部１１を筒状に巻いた形態で維持するだけでなく、切断肢３０の外周部に対して義肢ソケット用サポータ１０をしっかりと固定することが可能になる。また、ベルト部１２は、義肢ソケット２１における２箇所に設けられた空白部Ａのうち、背面側（甲側）の空白部Ａを覆うための部分となっている。これにより、義肢ソケット２１の内部に収容された切断肢３０の先端部が、背面側の空白部Ａからはみ出る（突き出る）のを防止することができる。
【００２９】
サポート生地におけるベルト部１２は、その一端部のみが本体部１１に固定されたものであってもよいし、その両端部が本体部１１に固定されたものであってもよい。後者の場合、ベルト部１２には、ショルダーバックのベルトの長さ調節に用いられるアジャスタ（カクカンなど）や面ファスナが設けられる。本実施態様の義肢ソケット用サポータ１０においては、図４，５に示すように、その展開時においては、ベルト部１２の先端部は、本体部１１に固定されていない（本体部１１に対して着脱自在な）自由端となっており、ベルト部１２の基端部のみが、本体部１１の一端に固定された固定端となっている。
【００３０】
ベルト部１２の先端部（自由端）を本体部１１に対して着脱可能な状態で固定する手段（ベルト部着脱手段）は、特に限定されない。ベルト部着脱手段としては、面ファスナやボタンやカクカンを利用したものなどが例示される。本実施態様の義肢ソケット用サポータ１０においては、図４に示すように、ベルト部１２の外面における基端部と先端部に、それぞれ面ファスナ１２ａ，１２ｂを設けるとともに、ベルト部１２とは反対側のポケット１１ａの外面にカクカン１１ｂを設けている。面ファスナ１２ａ，１２ｂのうちいずれか一方がフック面（Ａ面）とされ、他方がループ面（Ｂ面）とされる。これにより、図３に示すように、ベルト部１２の先端部をカクカン１１ｂに通して折り返した後、ベルト部１２ａの先端部を基端部に対して固定することが可能になる。ベルト部１２の長さは、その先端部を留める箇所を変えることにより、調節することができる。
【００３１】
サポート生地におけるベルト部１２の素材は、特に限定されないが、本体部１１と同様、クッション性と通気性と吸汗性に優れた素材を選択すると好ましい。具体的には、合成繊維や天然繊維からなる編物、織物又は編物などが例示される。ベルト部１２は、上記素材からなる表地（ベルト部１２の外面を形成する生地）及び裏地（ベルト部１２の内面を形成する生地）で構成された複層構造としてもよい。この場合、表地と裏地の隙間に、発泡樹脂シートなど、クッション性を有するクッション材を入れると、本体部１１のクッション性をさらに高めることができる。ベルト部１２の内面（義肢ソケット用サポータ１０で切断肢３０を支持した際に切断肢２０の外周面と接触する面）には、本体部１１と同様、切断肢用の滑り止め手段を設けてもよい。
【符号の説明】
【００３２】
１０    義肢ソケット用サポータ
１１    本体部（サポート生地）
１１ａ  ポケット
１１ｂ  カクカン
１２    ベルト部（サポート生地）
１２ａ  面ファスナ
１２ｂ  面ファスナ
２０    義肢
２１    義肢ソケット
２１ａ  突片部
２１ｂ  スリット
２２    義肢先端部
２２ａ  アクチュエータ
３０    切断肢
Ａ    空白部
【図１】
2015058013.tif 000003
【図２】
2015058013.tif 000004
【図３】
2015058013.tif 000005
【図４】
2015058013.tif 000006
【図５】
2015058013.tif 000007
【図６】
2015058013.tif 000008